(57)【特許請求の範囲】
【請求項１】
ロック可能格納装置であって、
筐体と、
該筐体内の１つ以上の空洞へのアクセスをブロックするために該筐体に固定可能であるアクセスドアと、
該アクセスドアとともに組み立てられるラッチアセンブリであって、該アクセスドアを閉鎖位置に固定するための筐体係合位置と、該アクセスドアの開放位置までの移動を可能にするための筐体係脱位置との間で、該アクセスドアに対して移動可能であるラッチアセンブリと、
ロッキング機構であって、該ロッキング機構がロック状態にあるとき、該ラッチアセンブリを該筐体係合位置に保持し、該ロッキング機構がロック解除状態にあるとき、該ラッチアセンブリが該筐体係脱位置まで移動することを可能にするように構成されるロッキング機構と、
該アクセスドア上に配置され、通常位置から開放位置まで移動可能であるユーザ操作型開放部材であって、該ロッキング機構が該ロック解除状態にあるとき、該開放部材の該開放位置までの移動は、該ラッチアセンブリを該筐体係合位置から該筐体係脱位置まで移動させる、開放部材と
を備え、
該開放部材がバネ部材に直接に接続され、該バネ部材が該ラッチアセンブリに直接に接続されることにより、該ロッキング機構が該ロック状態にあるとき、該開放部材の該開放位置までの移動が、該ラッチアセンブリを該筐体係合位置から外に移動させることなく、該バネ部材を圧縮する、ロック可能格納装置。
【請求項２】
前記アクセスドア上に配置された一組の機械式押しボタンをさらに備え、該押しボタンは、前記ロッキング機構をロック解除するための、認定された組み合わせコードの入力用である、請求項１に記載のロック可能格納装置。
【請求項３】
前記ロッキング機構が前記ロック状態にあるとき、該ロッキング機構は、前記筐体係合位置から外への前記ラッチアセンブリの移動をブロックするように構成される、請求項１に記載のロック可能格納装置。
【請求項４】
前記ラッチアセンブリを前記筐体係合位置に向かって付勢する戻しバネをさらに備える、請求項１に記載のロック可能格納装置。
【請求項５】
前記バネ部材は、前記戻しバネのバネ強度よりも大きいバネ強度を有する、請求項４に記載のロック可能格納装置。
【請求項６】
前記アクセスドアは、ヒンジ部分において前記筐体にヒンジ結合して接続される、請求項１に記載のロック可能格納装置。
【請求項７】
前記ヒンジ部分は、前記筐体の中実部分によって分離される第１および第２の対向ヒンジピンを含む、請求項６に記載のロック可能格納装置。
【請求項８】
前記ヒンジ部分は、前記アクセスドアを前記開放位置に向かって付勢するねじりバネを含む、請求項６に記載のロック可能格納装置。
【請求項９】
前記開放部材は、前記ラッチアセンブリの移動方向と実質的に平行な方向に摺動可能であるボタンを備える、請求項１に記載のロック可能格納装置。
【請求項１０】
前記バネ部材を保定するためのガイド部材をさらに備え、該ガイド部材は、前記開放部材と駆動係合している第１の末端部分と、前記ラッチアセンブリに係合する第２の末端部分とを含むことにより、前記筐体係脱位置から離れる方向への該ラッチアセンブリのバネ付勢された移動を制限する、請求項１に記載のロック可能格納装置。
【請求項１１】
ロッキング装置であって、
ラッチング位置とラッチング解除位置との間で移動可能なラッチアセンブリと、
ロッキング機構であって、該ロッキング機構がロック状態にあるとき、該ラッチング位置に該ラッチアセンブリを保持し、該ロッキング機構がロック解除状態にあるとき、該ラッチアセンブリが該ラッチング解除位置まで移動することを可能にするように構成されるロッキング機構と、
通常位置から開放位置まで移動可能なユーザ操作型開放部材であって、該ロッキング機構が該ロック解除状態にあるとき、該開放部材の該開放位置までの移動が、該ラッチアセンブリを該ラッチング位置から該ラッチング解除位置まで移動させる、開放部材と
を備え、
該開放部材がバネ部材に直接に接続され、該バネ部材が該ラッチアセンブリに直接に接続されることにより、該ロッキング機構が該ロック状態にあるとき、該開放部材の該開放位置までの移動が、該ラッチアセンブリを該ラッチング位置から外に移動させることなく、該バネ部材を圧縮する、ロッキング装置。
【請求項１２】
前記ラッチアセンブリを前記ラッチング位置に向かって付勢する戻しバネをさらに備える、請求項１１に記載のロッキング装置。
【請求項１３】
前記バネ部材は、前記戻しバネのバネ強度よりも大きいバネ強度を有する、請求項１２に記載のロッキング装置。
【請求項１４】
前記開放部材は、前記ラッチアセンブリの移動方向と実質的に平行な方向に摺動可能であるボタンを備える、請求項１１に記載のロッキング装置。
【請求項１５】
前記バネ部材を保定するためのガイド部材をさらに備え、該ガイド部材は、前記開放部材と駆動係合している第１の末端部分と、前記ラッチアセンブリに係合する第２の末端部分とを含むことにより、前記ラッチング解除位置から離れる方向への該ラッチアセンブリのバネ付勢された移動を制限する、請求項１１に記載のロッキング装置。
【請求項１６】
キーセーフであって、
筐体と、
ヒンジ部分において該筐体にヒンジ結合して接続されるアクセスドアであって、それにより、閉鎖位置において該筐体内の１つ以上の空洞へのアクセスをブロックし、開放位置において該１つ以上の空洞へのアクセスを可能にするアクセスドアと、
該アクセスドアとともに組み立てられるラッチ部材であって、該アクセスドアを閉鎖位置に固定する筐体係合位置と、該アクセスドアの開放位置までの移動を可能にする筐体係脱位置との間で、該アクセスドアに対して移動可能であるラッチ部材と、
該ラッチ部材に固定されて、それとともに移動するラッチプレートと、
該アクセスドアとともに組み立てられる戻しバネであって、該ラッチプレートおよびラッチ部材を該筐体係合位置に向かって付勢する戻しバネと、
ロッキング機構であって、該ロッキング機構がロック状態にあるとき、該ラッチ部材およびラッチプレートを該筐体係合位置に保持し、該ロッキング機構がロック解除状態にあるとき、該ラッチ部材およびラッチプレートが該筐体係脱位置まで移動することを可能にするように構成されるロッキング機構と、
該アクセスドア上に配置され、該ラッチプレートのスロット内において通常位置から開放位置まで摺動可能であるユーザ操作型開放ボタンであって、該ロッキング機構がロック解除状態にあるとき、該開放部材の該開放位置までの移動が、該ラッチアセンブリを該筐体係合位置から該筐体係脱位置まで移動させる、開放ボタンと、
該ラッチプレートとともに組み立てられるガイド部材であって、該開放ボタンと駆動係合している第１の末端部分と、該ラッチプレート上の突起に係合する第２の末端部分とを含むガイド部材と、
バネ部材であって、該バネ部材は、該ガイド部材の該第１の末端部分に係合する第１の末端と、該ラッチプレート突起に係合する第２の末端とを有することにより、該開放ボタンと該ラッチプレートとの間に圧縮性接続を提供し、それにより、該ロッキング機構が該ロック状態にあるとき、該開放ボタンの該開放位置までの移動が、該ラッチ部材およびラッチプレートを該筐体係合位置から外に移動させることなく、該バネ部材を圧縮する、バネ部材と
を備える、キーセーフ。
【請求項１７】
前記ロッキング機構は、前記アクセスドアとともに組み立てられ、押圧位置と非押圧位置との間で移動可能である一組の機械式押しボタンを備え、各押しボタンは、前記ラッチプレートにおける対応する開口部を通って延在し、該一組の押しボタンのうちの既定の１つ以上のみが該押圧位置にあるとき、該押しボタンにおける刻み目が、該ラッチプレートと整列することにより、該筐体係合位置から該筐体係脱位置までの該ラッチプレートおよび前記ラッチ部材の移動を可能にする、請求項１６に記載のキーセーフ。
【請求項１８】
前記開放ボタンは、前記ラッチアセンブリの移動方向と実質的に平行な方向に摺動可能である、請求項１６に記載のキーセーフ。
【請求項１９】
前記バネ部材は、前記戻しバネのバネ強度よりも大きいバネ強度を有する、請求項１６に記載のキーセーフ。
【請求項２０】
前記ヒンジ部分は、前記筐体の中実部分によって分離される第１および第２の対向ヒンジピンを含む、請求項１６に記載のキーセーフ。
【発明の詳細な説明】
【技術分野】
【０００１】
（関連出願の相互参照）
本願は、米国仮特許出願第６１／２４４，２７２号（名称「ＬＯＣＫＡＢＬＥ  ＥＮＣＬＯＳＵＲＥ」、２００９年９月２１日出願）の利益を主張し、この出願の開示全体は、本願と矛盾しない範囲で本明細書に参照によって援用される。
【背景技術】
【０００２】
（背景）
ロック可能格納装置は、ロック可能なドア、蓋、引き出し、または他のそのような障壁を有する格納装置を提供することによって種々の品目へのアクセスを制限するために、多くの屋内および屋外環境において使用される。障壁は、格納装置の内容物へのアクセスを１人以上の認定されたユーザに限定するために、例えば、ダイヤル錠、南京錠、一組の押しボタン、または鍵によって操作されるラッチ等のロッキング機構を含むことができる。一部の適用は、鍵、クレジットカード、または書類等の１つ以上の比較的小さい品目の安全な保管を必要とする場合もあり、制限された数の認定された個人による制限されたアクセスが望ましい。そのような格納装置の一例として、出入り口用の認定された鍵の安全な保定のために、ビルの出入り口に取り付けられる（例えば、ドアノブの周囲に掛けられる）キーセーフが挙げられる。キーセーフは、ロッキング解除の組み合わせを知らされている認定されたユーザが、キーセーフを開け、ビルに進入するためにドア鍵にアクセスすることができるように、例えば、押しボタンまたは組み合わせダイヤルのロッキング機構を採用し得る。
【発明の概要】
【課題を解決するための手段】
【０００３】
本願は、例えば、キーセーフのアクセスドアのためのラッチアセンブリ等のラッチアセンブリをラッチ状態にロック可能に固定するためのロッキング装置を企図する。本願の一態様に従って、ロッキング装置は、ユーザ操作型ボタンまたはレバーの強制的な移動によるラッチアセンブリの不正操作（それによって、１つ以上のロッキング構成要素への損傷が別様にラッチアセンブリの移動をもたらす）を回避するように構成される特徴を含んでもよい。
【０００４】
したがって、本願の一実施形態において、ロッキング装置は、ラッチアセンブリ、ロッキング機構、およびユーザ操作型開放部材を含む。ロッキング機構は、ロッキング機構がロック状態にあるとき、ラッチング位置にラッチアセンブリを保持し、およびロッキング機構がロック解除状態にあるとき、ラッチアセンブリがラッチング解除位置に移動することを可能にする。開放部材は、通常位置から開放位置まで移動可能である。ロッキング機構がロック解除位置にあると、開放部材の開放位置までの移動は、ラッチアセンブリをラッチング位置からラッチング解除位置まで移動させる。開放部材は、圧縮性部材によってラッチアセンブリに動作可能に接続されることにより、ロッキング機構がロック状態にあると、開放部材の開放位置までの移動は、ラッチアセンブリをラッチング位置から外に移動させることなく、圧縮性部材を圧縮する。
本願明細書は、例えば、以下の項目も提供する。
（項目１）
ロック可能格納装置であって、
筐体と、
該筐体内の１つ以上の空洞へのアクセスをブロックするために該筐体に固定可能であるアクセスドアと、
該アクセスドアとともに組み立てられるラッチアセンブリであって、該アクセスドアを閉鎖位置に固定するための筐体係合位置と、該アクセスドアの開放位置までの移動を可能にするための筐体係脱位置との間で、該アクセスドアに対して移動可能であるラッチアセンブリと、
ロッキング機構であって、該ロッキング機構がロック状態にあるとき、該ラッチアセンブリを該筐体係合位置に保持し、該ロッキング機構がロック解除状態にあるとき、該ラッチアセンブリが該筐体係脱位置まで移動することを可能にするように構成されるロッキング機構と、
該アクセスドア上に配置され、通常位置から開放位置まで移動可能であるユーザ操作型開放部材であって、該ロッキング機構が該ロック解除状態にあるとき、該開放部材の該開放位置までの移動は、該ラッチアセンブリを該筐体係合位置から該筐体係脱位置まで移動させる、開放部材と
を備え、該開放部材は、バネ部材によって該ラッチアセンブリに動作可能に接続されることにより、該ロッキング機構が該ロック状態にあるとき、該開放部材の該開放位置までの移動が、該ラッチアセンブリを該筐体係合位置から外に移動させることなく、該バネ部材を圧縮する、格納装置。
（項目２）
前記アクセスドア上に配置された一組の機械式押しボタンをさらに備え、該押しボタンは、前記ロッキング機構をロック解除するための、認定された組み合わせコードの入力用である、項目１に記載のロック可能格納装置。
（項目３）
前記ロッキング機構が前記ロック状態であるとき、該ロッキング機構は、前記筐体係合位置から外への前記ラッチアセンブリの移動をブロックするように構成される、項目１に記載のロック可能格納装置。
（項目４）
前記ラッチアセンブリを前記筐体係合位置に向かって付勢する戻しバネをさらに備える、項目１に記載のロック可能格納装置。
（項目５）
前記バネ部材は、前記戻しバネのバネ強度よりも大きいバネ強度を有する、項目４に記載のロック可能格納装置。
（項目６）
前記アクセスドアは、ヒンジ部分において前記筐体にヒンジ結合して接続される、項目１に記載のロック可能格納装置。
（項目７）
前記ヒンジ部分は、前記筐体の中実部分によって分離される第１および第２の対向ヒンジピンを含む、項目６に記載のロック可能格納装置。
（項目８）
前記ヒンジ部分は、前記アクセスドアを前記開放位置に向かって付勢するねじりバネを含む、項目６に記載のロック可能格納装置。
（項目９）
前記開放部材は、前記ラッチアセンブリの移動方向と実質的に平行な方向に摺動可能であるボタンを備える、項目１に記載のロック可能格納装置。
（項目１０）
前記バネ部材を保定するためのガイド部材をさらに備え、該ガイド部材は、前記開放部材と駆動係合している第１の末端部分と、前記ラッチアセンブリに係合する第２の末端部分とを含むことにより、前記筐体係脱位置から離れる方向への該ラッチアセンブリのバネ付勢された移動を制限する、項目１に記載のロック可能格納装置。
（項目１１）
ロッキング装置であって、
ラッチング位置とラッチング解除位置との間で移動可能なラッチアセンブリと、
ロッキング機構であって、該ロッキング機構がロック状態にあるとき、該ラッチング位置に該ラッチアセンブリを保持し、および該ロッキング機構がロック解除状態にあるとき、該ラッチアセンブリが該ラッチング解除位置まで移動することを可能にするように構成されるロッキング機構と、
通常位置から開放位置まで移動可能なユーザ操作型開放部材であって、該ロッキング機構が該ロック解除状態にあるとき、該開放部材の該開放位置までの移動が、該ラッチアセンブリを該ラッチング位置から該ラッチング解除位置まで移動させる、開放部材と
を備え、
該開放部材は、バネ部材によって該ラッチアセンブリに動作可能に接続されることにより、該ロッキング機構が該ロック状態にあるとき、該開放部材の該開放位置までの移動が、該ラッチアセンブリを該ラッチング位置から外に移動させることなく、該バネ部材を圧縮する、ロッキング装置。
（項目１２）
前記ラッチアセンブリを前記ラッチング位置に向かって付勢する戻しバネをさらに備える、項目１１に記載のロッキング装置。
（項目１３）
前記バネ部材は、前記戻しバネのバネ強度よりも大きいバネ強度を有する、項目１２に記載のロッキング装置。
（項目１４）
前記開放部材は、前記ラッチアセンブリの移動方向と実質的に平行な方向に摺動可能であるボタンを備える、項目１１に記載のロッキング装置。
（項目１５）
前記バネ部材を保定するためのガイド部材をさらに備え、該ガイド部材は、前記開放部材と駆動係合している第１の末端部分および前記ラッチアセンブリに係合する第２の末端部分を含むことにより、前記ラッチング解除位置から離れる方向への該ラッチアセンブリのバネ付勢された移動を制限する、項目１１に記載のロッキング装置。
（項目１６）
キーセーフであって、
筐体と、
ヒンジ部分において該筐体にヒンジ結合して接続されるアクセスドアであって、それにより、閉鎖位置において該筐体内の１つ以上の空洞へのアクセスをブロックし、および開放位置において該１つ以上の空洞へのアクセスを可能にするアクセスドアと、
該アクセスドアとともに組み立てられるラッチ部材であって、該アクセスドアを閉鎖位置に固定する筐体係合位置と、該アクセスドアの開放位置までの移動を可能にする筐体係脱位置との間で、該アクセスドアに対して移動可能であるラッチ部材と、
該ラッチ部材に固定されて、それとともに移動するラッチプレートと、
該アクセスドアとともに組み立てられる戻しバネであって、該ラッチプレートおよびラッチ部材を該筐体係合位置に向かって付勢する戻しバネと、
ロッキング機構であって、該ロッキング機構がロック状態にあるとき、該ラッチ部材およびラッチプレートを該筐体係合位置に保持し、および該ロッキング機構がロック解除状態にあるとき、該ラッチ部材およびラッチプレートが該筐体係脱位置まで移動することを可能にするように構成される、ロッキング機構と、
該アクセスドア上に配置され、該ラッチプレートのスロット内において通常位置から開放位置まで摺動可能であるユーザ操作型開放ボタンであって、該ロッキング機構がロック解除状態にあるとき、該開放部材の該開放位置までの移動が、該ラッチアセンブリを該筐体係合位置から該筐体係脱位置まで移動させる、開放ボタンと、
該ラッチプレートとともに組み立てられるガイド部材であって、該開放ボタンと駆動係合している第１の末端部分と、該ラッチプレート上の突起に係合する第２の末端部分とを含むガイド部材と、
バネ部材であって、該バネ部材は、該ガイド部材の該第１の末端部分に係合する第１の末端と、該ラッチプレート突起に係合する第２の末端とを有することにより、該開放ボタンと該ラッチプレートとの間に圧縮性接続を提供し、それにより、該ロッキング機構が該ロック状態にあるとき、該開放ボタンの該開放位置までの移動が、該ラッチ部材およびラッチプレートを該筐体係合位置から外に移動させることなく、該バネ部材を圧縮する、バネ部材と
を備える、キーセーフ。
（項目１７）
前記ロッキング機構は、前記アクセスドアとともに組み立てられ、および押圧位置と非押圧位置との間で移動可能である一組の機械式押しボタンを備え、各押しボタンは、前記ラッチプレートにおける対応する開口部を通って延在し、該一組の押しボタンのうちの既定の１つ以上のみが該押圧位置にあるとき、該押しボタンにおける刻み目が、該ラッチプレートと整列することにより、該筐体係合位置から該筐体係脱位置までの該ラッチプレートおよび該ラッチ部材の移動を可能にする、項目１６に記載のキーセーフ。
（項目１８）
前記開放ボタンは、前記ラッチアセンブリの移動方向と実質的に平行な方向に摺動可能である、項目１６に記載のキーセーフ。
（項目１９）
前記バネ部材は、前記戻しバネのバネ強度よりも大きいバネ強度を有する、項目１６に記載のキーセーフ。
（項目２０）
前記ヒンジ部分は、前記筐体の中実部分によって分離される第１および第２の対向ヒンジピンを含む、項目１６に記載のキーセーフ。
【図面の簡単な説明】
【０００５】
本発明のさらなる特徴および利点は、添付の図面を参照して、以下の発明を実施するための形態から明白となるであろう。
【図１】図１は、押しボタンで操作されるロック可能格納装置の斜視図である。
【図１Ａ】図１Ａは、格納装置のさらなる特性を説明するためにアクセスドアが取り除かれた、図１のロック可能格納装置の正面図である。
【図２】図２は、開放位置にあるアクセスドアとともに示された、図１のロック可能格納装置の側面斜視図である。
【図３】図３は、図１のロック可能格納装置の部分的に分解された斜視図である。
【図４】図４は、図１のロック可能格納装置のアクセスドアの後面斜視図である。
【図５】図５は、図１のロック可能格納装置のアクセスドアの分解された後面斜視図である。
【図５Ａ】図５Ａは、図１のロック可能格納装置の押しボタンおよびロッキング機構の部分アセンブリの側面斜視図である。
【図６】図６は、開放位置にある開放ボタンとともに示された、図１のロック可能格納装置のアクセスドアの後面斜視図である。
【図７】図７は、図１のロック可能格納装置のボタン本体の斜視図である。
【図８】図８は、図１のロック可能格納装置のボタンピンの斜視図である。
【発明を実施するための形態】
【０００６】
この発明を実施するための形態は、本発明の実施形態について説明しているにすぎず、請求項の範囲をいかようにも限定することを意図するものではない。実際には、特許請求される本発明は、好ましい実施形態よりも広義であり、それに限定されず、特許請求の範囲において使用される用語は、完全なる通常の意味を有する。
【０００７】
同様に、本明細書において説明され、および図面に例示される例示的実施形態が、ドアの鍵等の比較的小さい品目を保管するよう寸法決定される機械式押しボタン金庫または錠付き箱に関する一方で、本明細書に記載される発明特徴の多くが、例えば、比較的大きな金庫および現金箱、ならびにダイヤル錠、鍵で操作されるロッキング機構、および電気機械ロッキング機構を利用するロック可能格納装置を含む、他の大きさおよび種類のロック可能格納装置に適用され得ることを理解されたい。さらに、本明細書に記載される発明特徴の多くは、例えば、南京錠、ドアロック、および金庫錠止デバイスを含む他の種類のロッキング装置に適用され得る。
【０００８】
図１〜８に示される本願の実施形態において、ロック可能格納装置１００（例えば、キーセーフ）は、筐体１１０および筐体１１０内の１つ以上の空洞へのアクセスをブロックするための、筐体１１０に固定可能ドア部材１２１を有するアクセスドア１２０を含み、その中に１つ以上の品目を安全に保管することができる。筐体１１０がいくつかの構成要素から形成され得る一方で、例示的な実施形態においては、筐体１１０は一体構造であり、それによって、組み立てられた構成要素間の継ぎ目における潜在的な弱点を排除する。
【０００９】
ロック可能格納装置１００をドアまたは壁等の外部構造に固定するために、多くの種々の装置が利用されてもよい。例示的な筐体１１０は、アクセスドアが閉鎖されているとき、締結具へのアクセスをブロックしながら、（例えば、締結具を用いて）格納装置１００を構造に固定するための、後壁の装着穴部１１１（図３参照）を含む。加えて、または代替的に、格納装置１００を構造（例えば、ドアノブの基部の周囲）に固定するために、ロック可能格納装置１００がシャックル１１５とともに提供され得る。多くの異なるロッキング装置が、格納装置の盗難または取外しを防止するために、閉鎖もしくは後退状態でシャックルを固定するように提供され得る。図１Ａに示される例示的な実施形態において、手動で動作可能な解放レバー１１７は、アクセスドア１２０が開放されているときに、筐体１１０の内部においてアクセス可能である。解放レバー１１７は、シャックル１１５の抜脱を可能にするためのレバー１１７のカットアウト１１８、１１９をシャックル脚部と整列させるために、シャックル解放ブロック１１６内において摺動可能である。解放レバーが通常のシャックル保定位置にあるとき、レバー１１７は、シャックル脚部の刻み目（図示せず）と噛み合う。
【００１０】
ロック可能格納装置１００は、ロックインターフェース１３０を有するロッキング機構を含み、ロックインターフェース１３０は、格納装置１００の内容物へのアクセスのために、ユーザが、開放位置へのアクセスドア１２０の移動のためにロッキング機構をロック解除するように操作可能である。（例えば、ダイヤル錠、鍵穴、ならびに電子キーパッドおよびセンサを含む）多くの異なるロックインターフェースを利用してもよいが、例示的な実施形態では、ロックインターフェース１３０は、ロッキング機構をロック解除するための、認定された組み合わせコードの入力のためにユーザが選択的に押し得る、ドア部材１２１から延在する一組の機械式押しボタン１３１を含む。
【００１１】
例示的実施形態は、ロック位置にアクセスドア１２０を固定するために、筐体１１０の一部に係合するラッチ部材１４５（図２〜６参照）に動作可能に接続されるユーザ操作型開放部材（例えば、レバーまたはボタン１４０）をも含む。ロック状態において、ラッチ部材１４５は、筐体１１０からの係脱をブロックされる。ロックインターフェース１３０上での認定された組み合わせコードの入力は、アクセスドア１２０を開放するように筐体１１０からラッチ部材１４５を係脱するための、通常位置から開放位置への開放ボタン１４０のユーザ移動によって、ロッキング機構にラッチ部材１４５の後退を可能にさせる。例示される開放部材１４０は、ラッチ部材の移動方向と実質的に平行な方向に摺動可能なボタンであるが、他の構成も利用され得る。例えば、開放部材は、開放部材の移動をラッチ部材の摺動移動に変えることに好適な連結または接続を有する、押しボタン、トグルスイッチ、ダイヤル、または他のそのような機構として提供され得る。
【００１２】
本願の発明態様に従って、開放ボタンとラッチ部材との間の接続は、開放ボタンを過度の下向きの力で攻撃することによるロック可能格納装置の不正な強制開放を防止するために、ラッチ部材から開放ボタンを動作可能に隔離するよう構成され得る。他のロッキング構成要素への損傷がラッチの移動を可能にする前に分離可能な（例えば、ネックダウンされる脆弱接続または限られた力での付着接続を含む）剛性接続を、ラッチから開放ボタンを切り離すために利用してもよい。しかしながら、そのような装置は、後に認定された入力を試みる際に、ロック可能格納装置を操作不可能な状態にし得る。一発明実施形態では、弾性的に圧縮可能な部材（例えば、付勢機構またはバネ部材）は、開放ボタンをラッチ部材に（直接的または間接的のいずれかで）動作可能に接続させるために使用されることにより、ラッチ部材がブロックされているとき、ラッチ部材に対する開放ボタンの移動を可能にする。対向付勢機構または戻しバネは、開放ボタンのユーザ移動が起こるまで、ラッチング位置または筐体係合位置にブロック解除されたラッチ部材を保持するために使用され得る。ロッキング機構をロック解除することなく（すなわち、ラッチ部材をブロック解除することなく）力が開放ボタンに印加されるときに、開放ボタンは、内部にあるロッキング機構構成要素を損傷することなく、圧縮性部材の力または抵抗に逆らって開放位置に移動し、それによって、開放ボタンを過度の下向きの力で攻撃することによってロック可能格納装置の不正強制開放を防止する。ロッキング機構がロック解除されたときに（すなわち、ラッチ部材がブロック解除されたときに）、第２の付勢部材は、下向きの力が、筐体との係合から外れたラッチ部材の移動のために、（第１の付勢機構を通り、第２の付勢機構に逆らって）ブロック解除されたラッチ部材に印加されるまで、ロック位置にラッチ部材を保持する。ロッキング機構がロック解除状態にあるときに、開放ボタンとラッチ部材との間の動作可能な接続を維持するために、圧縮性は、戻しバネまたは第２の付勢機構よりも大きい圧縮に対する抵抗を備え得る。
【００１３】
ロック可能格納装置の開放ボタンとラッチ部材との間に分離可能な接続を提供するために、多くの異なる構成を利用してもよい。図４〜６に示される例示的な実施形態において、開放ボタン１４０は、ラッチ部材１４５の陥凹スロット１４６およびラッチプレート１５０のスロット１５１を通って延在するネジ１４１（または他の好適な伸張部分）を含む。ラッチ部材１４５およびラッチプレート１５０は、ラッチアセンブリを形成するために、例えば、ラッチプレート１５０の開口部を通って圧縮されるラッチ部材上の支柱（図示せず）によって、もしくはいくつかの他のアセンブリによって、または不可欠な構成要素によってともに連結される。ラッチプレート１５０は、ロッキング機構がロック状態にあるとき、移動をブロックされ、それによって、筐体１１０と係合しているラッチ部材１４５を保持する。ロッキング機構がロック解除されると、ラッチプレート１５０はブロック解除され、自由に移動して、ラッチ部材１４５を筐体１１０から係脱する。
【００１４】
図６に示されるように、ラッチ部材１４５およびラッチプレート１５０の移動がブロックされていると（すなわち、ロッキング機構がロック解除されていないと）、開放ボタン１４０に印加された力は、バネ部材１５９に逆らって、および支柱１５２またはラッチプレート１５０に取り付けられる他のそのような突起に向かってガイド１５５を移動させるために、陥凹スロット１４６および開口部１５１内で、バネ付勢されたガイド１５５に逆らってネジ１４１を移動させる。したがって、ロックされた格納装置１００の開放ボタン１４０の完全な移動は、ロッキング機構を損傷することなく、かつラッチ部材１４５を移動させることなく、制限されずに許可される。ロッキング機構がロック解除されるか、あるいはラッチ部材１４５およびラッチプレート１５０の移動をブロック解除するように適切に操作されたとき、開放ボタン１４０の移動は、筐体１１０との係合から外れたラッチ部材１４５の移動のために、戻しバネ１６９（または他の好適な付勢機構）に逆らって、ラッチプレート１５０および連結したラッチ部材１４５を移動させるように、（ネジ１４１、ガイド１５５、およびバネ１５９を通って）支柱１５２に力を印加する。
【００１５】
アクセスドアを開放するために、ロッキングしている格納装置筐体との係合から外れたラッチ部材の移動を選択的に可能にする多くの異なる種類のロッキング機構を利用してもよい。図４〜６に示される例示的な実施形態において、押しボタン１３１の各々は、ラッチプレート１３８の対応する開口部１３９を通って受容されるボタン本体１３２（図７参照）および刻み目ボタンピン１３３（図８参照）とともに組み立てられるボタンパッド１３６を含む。図５Ａに示されるように、ボタンパッド１３６は、例えば、押圧されたボタンと押圧されていないボタン１３１との間に均一の外観を提供するために、バネ１３８によってピン１３３から外側にバネ付勢され得る。各ボタン本体１３２は、非押圧位置に向かってバネ１３９によってバネ負荷される。押しボタン１３１が、このバネ付勢に逆らって押されると、ボタン本体１３２上の外側に付勢された指形小片１３２ａは、コード消去プレート１６０内の対応する開口部１６１の側面タブ部分１６１ａと噛み合うことにより、ボタン本体１３２を押圧位置に保持する。それぞれの刻み目ピン１３３は、ドアカバー１２２（図２および図３参照）から延在するユーザが操作可能な部分１３７（例えば、ネジ回しで係合可能なスロットまたは他のそのような特性）によって、選択されていない配向と選択された配向との間においてドアの後側から回転可能である。選択されていない配向において、第１の刻み目１３４は、ボタン本体１３２が非押圧位置にあるときに、対応するラッチプレート開口部１３９内の隣接端部１３９ａ（図５および図５ａ参照）と整列する。選択された配向において、第２の刻み目１３５は、ボタン本体１３２が押圧位置にあるときに、ラッチプレート開口端部１３９ａと整列する。「選択された」ボタン本体１３２が全て押圧位置にあり、および「選択されていない」ボタン本体１３２が全て非押圧位置にあるとき、対応する第１および第２の刻み目１３４、１３５は、ラッチプレート１５０およびラッチ部材１４５をブロック解除するように、対応するラッチプレート開口部端部１３９ａを整列させる。この構成において、ラッチプレート１３８は、開放位置へのアクセスドア１２０の移動のためにラッチ部材１４５を筐体１１０から係脱するように、（以下でより詳細に説明されるコード消去プレート１６０を通って）整列した第１および第２の刻み目１３４、１３５と係合している戻しバネ１６９に逆らって移動可能である。
【００１６】
例示的な実施形態は、２１２個または４，０９６個の可能性のある認定された組み合わせコードを提供するために、１２個の押しボタン１３１を備え、それぞれ異なる英数字識別子でラベル表示されている。より多いかまたはより少ないボタンを有する押しボタンロッキング機構を提供することによって、より多いかまたはより少ない認定された組み合わせコードを有するロック可能格納装置が提供され得ることを理解されたい。
【００１７】
ラッチプレートおよびラッチ部材が、多くの異なる様式で、コード消去プレート１６０と接続され得る一方で、例示的な実施形態においては、ラッチ部材１４５は、ラッチ部材１４５の後退が戻しバネ１６９に逆らってコード消去プレート１６０を移動させるために、コード消去プレート１６０の上端部に突き出た横方向に延在する縁１４７を含む。このコード消去プレート１６０の移動は、ボタン本体指形小片１３２ａをコード消去プレート１６０の対応する側面タブ部分１６１ａから係脱させ、押されたボタン本体１３２が非押圧位置に戻ってバネ付勢することを可能にし、それによって、開放ボタン１４０が解放されると、入力したコードを「消去」する。アクセスドア１２０を再閉鎖するために、認定されたコードに関連する選択された押しボタン１３１が再び押されることにより、開放ボタン１４０を押すことによってラッチ部材を後退させることを可能にする。いったんアクセスドア１２０が再閉鎖され、開放ボタン１４０が解放されると、ラッチ部材１４５は、筐体１１０とのロッキング係合のために再び延伸する。
【００１８】
ロック可能格納装置はまた、例えば、間違ったボタンが誤って押されたときに、押されたボタンをリセットすることを可能にするよう構成され得る。例示的実施形態において、摺動可能な消去ボタン１６５が、アクセスドア１２０の前方から延在し、コード消去プレート１６０内の開口部１６３に係合するようにラッチプレート１５０における刻み目１５３を通過する伸張部分１６６（図５）を含む。消去ボタン１６５が押されると、伸張部分１６６は、コード消去プレート１６０に、戻しバネ１６９に逆らってコード消去プレート１６０の対応する側面タブ部分１６１ａからボタン本体指形小片１３２ａを係脱させ、押されたボタン本体１３２が非押圧位置に戻ってバネ付勢することを可能にし、それによって、入力したコードを「消去」する。
【００１９】
さらに他の発明特徴は、本願の種々の態様に従って、ロック可能格納装置を備え得る。例えば、アクセスドアが、別個の除去可能なドアとして提供され得る一方で、例示的な実施形態において、アクセスドア１２０は、閉鎖位置と開放位置との間のアクセスドア１２０の旋回可能な移動のために、筐体１１０にヒンジ結合によって接続される。示されるように、ドア１２０の外縁１２３は、閉鎖したドア１２０が筐体１１０の前方と実質的に同一平面になるように、筐体１１０内の周辺陥凹部１１３に受容され得る。アクセスドアヒンジは、筐体１１０およびアクセスドア１２０の対応するヒンジ部分１２６、１２７を通って挿入される対向したヒンジピン１２４、１２５（単一のヒンジピンとは対照的に）を含んでもよく、筐体１１０内の開口部は、対応するヒンジプラグ１２８によって塞がれる。二重のヒンジピン１２４、１２５は、筐体ヒンジ１２６の中実部分で分離され得ることにより、例えば、ヒンジピンをヒンジ部分から外にピーニングすることによるヒンジ部分１２６、１２７の分離（これは、単一のヒンジピン設計の脆弱性であり得る）を遅延させる。さらに、アクセスドア１２０は、ロック解除格納装置１００の開放ボタン１４５が開放位置に移動すると、アクセスドア１２０が自動的に開くように、例えば、ねじりバネ１２９によってヒンジ部分１２６、１２７でバネ付勢され得る。示されるように、ねじりバネ１２９は、ねじりバネ１２９が、ヒンジピン１２４、１２５の除去なしでは除去できないように、ヒンジピン１２４、１２５とともに組み立てられ得る。
【００２０】
例示的実施形態における組み合わせとして具現化されるように、本明細書では、本発明の種々の発明側面、概念、および特徴が、説明および例示され得るが、これらの種々の側面、概念、および特徴は、個々に、または種々の組み合わせ、およびその副次的組み合わせとして、多くの代替実施形態において使用されてもよい。本明細書において明示的に排除されない限り、あらゆるそのような組み合わせおよび副次的組み合わせは、本発明の範囲内にあるものと意図される。さらに、本発明の種々の発明側面、概念、および特徴（代替材料、構造、構成、方法、回路、デバイスおよび構成要素、ソフトウェア、ハードウェア、制御論理、式、フィット、および関数に関する代替等の）に関する種々の代替実施形態が、本明細書に説明され得るが、そのような説明は、現在既知または後に開発されるかにかかわらず、利用可能な代替実施形態の完全または排他的リストとして意図されるものではない。当業者は、そのような実施形態が、本明細書に明示的に開示されない場合であっても、容易に、本発明の側面、概念、または特徴のうちの１つ以上を付加的実施形態に採用し、本発明の範囲内で使用し得る。加えて、本発明のいくつかの特徴、概念、または側面は、好ましい装置または方法であるとして、本明細書に説明され得るが、そのような説明は、明示的に記載されない限り、そのような特徴が必須または必要であることを示唆することを意図するものではない。さらに、例示的または代表的値および範囲が、本開示の理解を支援するために含まれ得る。しかしながら、そのような値および範囲は、限定的意味で解釈されるべきではなく、明示的に記載される場合のみ、臨界値または範囲として意図される。さらに、種々の側面、特徴、および概念は、発明または発明の一部として、本明細書に明示的に識別され得るが、そのような識別は、排他的として意図されるものではなく、むしろ、具体的発明またはその一部として明示的に識別されることなく、本明細書に完全に説明される発明側面、概念、および特徴であり得る。例示的方法またはプロセスの説明は、明示的に記載されない限り、あらゆる場合に必要とされる全ステップを含意するものとして限定されるものではなく、あるいはステップが必須または必要として解釈されるように提示される順番でもない。
【図１】
0005499174.tif 000002
【図１Ａ】
0005499174.tif 000003
【図２】
0005499174.tif 000004
【図３】
0005499174.tif 000005
【図４】
0005499174.tif 000006
【図５】
0005499174.tif 000007
【図５Ａ】
0005499174.tif 000008
【図６】
0005499174.tif 000009
【図７】
0005499174.tif 000010
【図８】
0005499174.tif 000011